(57)【要約】【課題】賞味期限の迫ったものは販売価格を下げて賞味期限内に売り切った方が有利であっても、各所に点在する自動販売機に対して対応をすることは非常に難しく、手間が掛かりすぎる。【解決手段】商品を配置する棚６と、棚ごとに設置されて、商品１０に添付された無線ＩＣタグ１１の情報を読み取る読取手段２と、読取手段から情報を受け解析および制御を行う制御手段３と、販売価格を表示する価格表示手段５と、日時を発生する時計手段４とを具備し、無線ＩＣタグの情報に含まれた商品の定価と賞味期限に関する情報と時計手段４から取得した日時から、販売価格を決定し、価格表示手段５で販売価格を表示して販売するようにした。【選択図】図１
2006195616.tif 000002
【特許請求の範囲】
【請求項１】
商品を配置する棚と、前記棚ごとに設置されて、商品に添付された無線ＩＣタグの情報を読み取る読取手段と、前記読取手段から情報を受け解析および制御を行う制御手段と、前記商品の販売価格を表示する価格表示手段と、日時を発生する時計手段とを具備し、前記制御手段は前記無線ＩＣタグの情報に含まれた商品の定価と賞味期限に関する情報と前記時計手段から取得した日時とから、販売価格を決定し、前記価格表示手段で前記販売価格を表示することを特徴とする自動販売機。
【請求項２】
商品を配置する棚と、前記棚ごとに設置されて、商品に添付された無線ＩＣタグの情報を読み取る読取手段と、前記読取手段から情報を受け解析および制御を行う制御手段と、前記商品の販売価格を表示する価格表示手段と、日時を発生する時計手段とを具備し、前記制御手段は前記無線ＩＣタグの情報に基づいてネットワーク経由で情報サーバに蓄積された第２の情報を取得し、前記第２の情報に含まれた商品の定価または／および賞味期限に関する情報と前記時計手段から取得した日時から、販売価格を決定し、前記価格表示手段で前記販売価格を表示することを特徴とする自動販売機。
【請求項３】
販売価格を含む情報を、制御手段がネットワーク上の販売管理端末に知らせることを特徴とする請求項１または請求項２記載の自動販売機。
【請求項４】
電磁波遮断材で前記棚を構成したことを特徴とする請求項１または請求項２記載の自動販売機。
【請求項５】
通信距離が近接する他の棚まで達しない読取手段を設置したことを特徴とする請求項１または請求項２記載の自動販売機。
【請求項６】
請求項１〜３のいずれか記載の自動販売機において少なくともひとつの機能をコンピュータに実行させるためのプログラム。
【発明の詳細な説明】
【技術分野】
【０００１】
本発明は、無線ＩＣタグを利用した自動販売機、および、そのプログラムに関するものである。
【背景技術】
【０００２】
自動販売機は街のいたるところに設置されており、最近では売上高情報について、ネットワークを介して把握できる高度な自動販売機も考案されている（例えば特許文献１を参照）。また一方で、流通革命を目指して無線ＩＣタグが商品に添付されつつあり、商品には無線ＩＣタグが添付されているのが当たり前という状況に近づきつつある。
【特許文献１】特開２００３−１９６７１５号公報
【発明の開示】
【発明が解決しようとする課題】
【０００３】
しかしながら、高度な機能を有した自動販売機でも現時点では基本的な課題を抱えており、例えばドーナツやパンのような食料品で、賞味期限の設定された商品において、賞味期限の迫ったものは販売価格を下げて賞味期限内に売り切った方が有利であっても、各所に点在する自動販売機に対して対応をすることは非常に難しく、手間が掛かりすぎるという問題があった。
【課題を解決するための手段】
【０００４】
そこで、前記の課題を解決するために、本発明の自動販売機は、商品を配置する棚と、前記棚ごとに設置されて、商品に添付された無線ＩＣタグの情報を読み取る読取手段と、前記読取手段から情報を受け解析および制御を行う制御手段と、前記商品の販売価格を表示する価格表示手段と、日時を発生する時計手段とを具備し、前記制御手段は前記無線ＩＣタグの情報に含まれた商品の定価と賞味期限に関する情報と前記時計手段から取得した日時から、前記定価と賞味期限の残り期間に応じて販売価格を決定し、前記価格表示手段で前記販売価格を表示するようにした。
【発明の効果】
【０００５】
これにより、例えばドーナツやパンのような食料品で、賞味期限の設定された商品において、賞味期限の迫ったものは販売価格を下げて賞味期限内に売り切った方が有利な場合には、各所に点在する自動販売機が自動的に販売価格を下げて販売することが可能となる。
【発明を実施するための最良の形態】
【０００６】
第１の発明は、自動販売機において、商品を配置する棚と、前記棚ごとに設置されて、商品に添付された無線ＩＣタグの情報を読み取る読取手段と、前記読取手段から情報を受け解析および制御を行う制御手段と、前記商品の販売価格を表示する価格表示手段と、日時を発生する時計手段とを具備し、前記制御手段は前記無線ＩＣタグの情報に含まれた商品の定価と賞味期限に関する情報と前記時計手段から取得した日時から、販売価格を決定し、前記価格表示手段で前記販売価格を表示するにした。
【０００７】
これにより、例えばドーナツやパンのような食料品で、賞味期限の設定された商品において、賞味期限の迫ったものは販売価格を下げて賞味期限内に売り切った方が有利な場合には、各所に点在する自動販売機が自動的に販売価格を下げて販売することが可能となり、賞味期限が切れる前に商品を売り切ってしまうことが期待できるようになった。
【０００８】
第２の発明は、自動販売機において、商品を配置する棚と、前記棚ごとに設置されて、商品に添付された無線ＩＣタグの情報を読み取る読取手段と、前記読取手段から情報を受け解析および制御を行う制御手段と、前記商品の販売価格を表示する価格表示手段と、日時を発生する時計手段とを具備し、前記制御手段は前記無線ＩＣタグの情報に基づいてネットワーク経由で情報サーバに蓄積された第２の情報を取得し、前記第２の情報に含まれた商品の定価または／および賞味期限に関する情報と前記時計手段から取得した日時から、販売価格を決定し、前記価格表示手段で前記販売価格を表示するようにした。
【０００９】
これにより、無線ＩＣタグの情報に商品の定価と賞味期限に関する情報が含まれておらず、単なるコード番号のような情報しか含まれない場合でも、この情報（コード番号）を元にネットワーク上の情報サーバにアクセスして、商品の定価または／および賞味期限を含む第２の情報を取得するので、第１の発明と同様の効果を得ることが出来る。
【００１０】
第３の発明は、特に第１または第２の発明の自動販売機において、販売価格を含む情報を、制御手段がネットワーク上の販売管理端末に知らせるようにした。
【００１１】
これにより、賞味期限の迫った商品が存在して、販売価格を下げた場合、販売管理者の販売管理端末に情報が伝えられるので、管理者への利便性が向上する。
【００１２】
第４の発明は、特に第１または第２の発明の自動販売機において、電磁波遮断材で棚を構成した。
【００１３】
これにより、棚ごとに電磁的に分離できるので、読取手段が例えば隣の棚から異なる商品に添付された無線ＩＣタグの情報を間違って読み出してしまうというようなトラブルを回避することが出来る。
【００１４】
第５の発明は、特に第１または第２の発明の自動販売機において、通信距離が近接する他の棚まで達しない読取手段を設置するようにした。
【００１５】
これにより、特別な電磁波遮断対策をしなくても近接する棚に置かれた別の商品の無線ＩＣタグを誤って読み取ってしまうことがなくなり、シンプルな構成になる。
【００１６】
第６の発明は、第１〜３の発明の自動販売機において、少なくともひとつの機能をコンピュータに実行させるためのプログラムであり、ＣＰＵ、ＲＡＭ、ＲＯＭ、記憶装置、Ｉ／Ｏなどを備えた電気情報機器、コンピュータ等のハードリソースを協働させて本発明の少なくとも一部をプログラムとして容易に実現することができる。また記録媒体に記録あるいは、通信回線を用いてプログラム配信することにより、プログラム配布が他の手段に比べて極めて簡単に実現できる。
【００１７】
以下、本発明の実施の形態について、図面を用いて一実施形態について詳細に説明する。なお、この実施の形態によって本発明が限定されるものではない。
【００１８】
（実施の形態１）
図１は本発明の実施の形態の自動販売機の構成一例を示す図である。
【００１９】
自動販売機１には、商品に添付された無線ＩＣタグ１０ａ、１０ｂの情報を読み取る読取手段２ａ、２ｂ、全体の制御を行う制御手段３、日時の情報を提供する時計手段４、自動販売機のさまざまな状態を表示して客に伝える価格表示手段５ａ、５ｂ、商品を格納しておく棚６ａ、６ｂを具備している。
【００２０】
棚６ａ、６ｂは電磁波を遮断する材質（例えば金属）で構成されており、図では便宜上、上段の棚６ａと下段の棚６ｂに分かれて記述している。当然ながらこれは一例であってどのような配置で棚を分けても構わないが、それぞれの棚同士を電磁波遮断物質で構成して、お互いが電磁的に孤立していることが望ましい。
【００２１】
図１においても、上段の棚６ａと下段の棚６ｂを仕切る材質は電磁波を遮断する材質で構成されており、上段の棚６ａと下段の棚６ｂは、それぞれ電磁的に仕切られており、それぞれの棚に読取手段２ａ、２ｂが取り付けられている。
【００２２】
このように読取手段２ａ、２ｂは電磁的には完全に孤立しているので、お互い干渉することもなく、それぞれの棚に存在する商品１０ａ、１０ｂに添付された無線ＩＣタグ１１ａ、１１ｂを読取手段２ａ、２ｂが、それぞれ別個に読み出すことが出来る。すなわち、図１において上段の棚６ａにおいて、商品１０ａに添付された無線ＩＣタグ１１ａは読取手段２ａだけによって読み取られ、読取手段２ｂから読み取られることはない。逆に商品１０ｂに添付された無線ＩＣタグ１１ｂは読取手段２ｂだけによって読み取られ、読取手段２ａから読み取られることはない。
【００２３】
読取手段２ａ、２ｂによって読み取られた無線ＩＣタグ１１ａ、１１ｂの情報には、無線ＩＣタグ１１ａ、１１ｂが添付された商品１０ａ、１０ｂの定価と賞味期限に関する情報を含んでいる。
【００２４】
なお、賞味期限に関する情報として、賞味期限の年月日であってもよいし、製造年月日と賞味期間の情報であってもよい。
【００２５】
一方、制御手段３は読取手段２ａと読取手段２ｂを区別するために、制御手段３には複数の入力インターフェイスを設けて、それぞれの入力インターフェイスから個別に読取手段２ａ、または読取手段２ｂの情報を受け取るようにした。
【００２６】
このようにして制御手段３は、どの情報がどちらの読取手段２ａ、あるいは読取手段２ｂから届いたものかどうかを判定することが出来る。
【００２７】
制御手段３は読取手段２ａから商品１０ａに添付された無線ＩＣタグ１１ａの情報を受け取る。この情報には定価と賞味期限に関する情報が含まれており、時計手段４から得られた日時に関する情報と比較し、読取手段２ａが設置されている棚の商品１０ａが賞味期限がどの程度迫っているかを算出し、残っている日数、および時間に応じて値引き幅を決定する。この値引き幅の決定は、数式による一定の数式法則に従っても構わないし、日数と時間に対応した値引率のテーブルから算出しても構わない。
【００２８】
ここでは制御手段３が値引率を決定すると説明したが、ネットワークに接続して、情報サーバからその値引率の情報を取得するという方式でも構わない。
【００２９】
こういった方法で取得した値引率を定価に乗じて算出した販売価格を価格表示手段５ａに表示して、それ以後はその販売価格で販売するようにする。
【００３０】
一般的に値引き率は時間と共に大きくなるので、時計手段４から得た日時を元に一定時間ごとに値引き幅を拡大していくといったことを行っても構わない。この動作は商品１０ａの賞味期限を過ぎる直前まで繰り返し行っても勿論かまわない。
【００３１】
ここでは、商品１０ａがひとつだけ存在する場合について説明したが、これに限定するわけではなく、複数の商品、例えば１０ａ、１０ａａ、１０ａａａなどが存在した場合でも、順次、無線ＩＣタグ１１ａ、１１ａａ、１１ａａａを読み出すことで、複数の商品になかに賞味期限の迫った商品が存在することを検知して、販売価格を変更しても構わない。
【００３２】
ここまでの説明は上段の棚６ａについて行ってきたが、他の棚（例えば下段の棚６ｂ）に関しても全く同様に、それぞれの棚が独立して同様の動作をするが、説明は省略する。
【００３３】
また、読取手段２ａ、２ｂによって読み取られた無線ＩＣタグの情報には、商品の定価と賞味期限に関する情報を含んでおらず、単なるＩＤのようなコード番号（例えば商品コード番号など）だけを含んでいる場合には、そのＩＤ（コード番号）を元に商品の定価と賞味期限を取得する必要がある。すなわち、コード番号を元に制御手段３がネットワーク２０を経由して、ネットワーク２０に接続されている情報サーバ３０にアクセスして、ＩＤに対応する商品の定価と賞味期限に関する情報を取得する。この結果、これまでの説明と同様の動作を行って賞味期限の迫った商品の販売価格を変更する。
【００３４】
また、上記では情報サーバ３０にアクセスして、商品の定価と賞味期限に関する情報を取得するようにしたが、無線ＩＣタグに賞味期限に関する情報を含み、一方で自動販売機１は情報サーバ３０にアクセスしてその商品の定価に関する情報を取得するようにしてもよい。あるいはまた、その逆に、商品の定価に関する情報は無線ＩＣタグに含み、賞味期限に関する情報は情報サーバ３０から取得するようにしてもよい。
【００３５】
ここで述べているネットワーク２０はインターネットであって情報サーバ３０は外部にあっても構わないし、ネットワーク２０は家庭内ＬＡＮであって情報サーバ３０も家庭内にあっても構わないし、ネットワーク２０を含めたすべてが自動販売機１に存在して自動販売機だけで閉じていても、もちろん構わない。
【００３６】
現時点で市販されている無線ＩＣタグ１１、および読取手段２には数メートル以上の距離まで対応した遠距離タイプと、数センチ〜１０数センチ程度の距離にしか対応していない近接型が存在する。特に近接型を用いた場合には、棚６の一部に開口部があっても、そこから漏れ出した電磁波は隣の棚にまで達することがないように設置することが可能になり、特別な電磁波もれ対策をしなくても棚同士を電磁的に遮断できるので、近接型を用いることは好ましい。この場合には、必ずしも電磁波遮断物質で構成された棚を用いる必要はなくなる。
【００３７】
なお、遠距離タイプを用いた場合は、隣の棚はもちろんのこと、商品１０ａ、１０ｂ以外のものに添付された、例えば作業者のポケット内にあるタバコなど関係のない無線ＩＣタグの情報を読み取ってしまうことが想定されるので、こういったタイプは本用途には必ずしも向いているとは言えない。ただし、この場合でも、近接する棚にまでは電磁波が届かないように電磁波強度を落としたり、アンテナサイズを変えたりして感度を調整して、関係のない無線ＩＣタグを読み取らないようにしても構わない。
【００３８】
また読み出し方法としては、商品１０ａ、１０ｂが棚にセットされている場合に、定期的に、自動販売機１に具備された読取手段２で順に、あるいは一括で無線ＩＣタグ１１ａ、１１ｂの情報を読み取る。一括で読み取れるのはすべての無線ＩＣタグ１１ａ、１１ｂ、および読取手段２ａ、２ｂが衝突検出に対応している場合であり、セットした商品を一括読み出しして、定価と賞味期限を確認できるので本用途には最適である。
【００３９】
衝突検出に対応していない場合は、商品を１つごとに自動販売機１に具備された読取手段２ａ、２ｂに読ませる必要があるが、こういった衝突検出に対応していない無線ＩＣタグは本用途に必ずしも適しているとはいえない。
【００４０】
ここまで述べてきたように自動販売機１は賞味期限が迫った商品を検知した場合、販売価格を変更して価格表示手段５にて表示することができるが、さらに制御手段３は予め設定されているネットワーク２０上の販売管理端末４０に対して、その時点での販売価格に関する情報を伝えることも出来る。
【００４１】
あるいは上記とは逆に、販売管理端末４０から定期的に自動販売機１の制御手段３に接続して、自動販売機１の状態を取得するという方式でも構わない。
【００４２】
また、情報サーバ３０がインターネット、販売管理端末４０は電話交換網に接続されていても構わない。
【００４３】
この販売管理端末４０を通じて、管理者が常時または定期的に、遠隔地から自動販売機の状態を確認して、賞味期限が迫って販売価格を変更していることを知り、商品入れ替え準備などの対応することになる。
【００４４】
ここまでの説明は自動販売機を用いた場合を想定して記述してきたが、必ずしもこれに限定する理由はなく、賞味期限が設定された商品を扱うような店舗の商品棚、アイスクリーム販売機などに応用しても構わない。
【００４５】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録、もしくはインターネットなどの通信回線を用いて配信することで新しい機能の配布・更新やそのインストール作業が簡単にできる。
【産業上の利用可能性】
【００４６】
以上のように、本発明にかかる自動販売機およびそのプログラムは、商品を配置する棚と、前記棚ごとに設置されて、商品に添付された無線ＩＣタグの情報を読み取る読取手段と、前記読取手段から情報を受け解析および制御を行う制御手段と、前記商品の販売価格を表示する価格表示手段と、日時を発生する時計手段とを具備し、前記制御手段は前記無線ＩＣタグの情報に含まれた商品の定価と賞味期限に関する情報と前記時計手段から取得した日時から、販売価格を決定し、前記価格表示手段で前記販売価格を表示して販売するようにした。自動販売機のほかにも商品棚、アイスクリーム販売機などにも応用できる。
【図面の簡単な説明】
【００４７】
【図１】本発明の自動販売機の構成一例を示す図
【符号の説明】
【００４８】
１  自動販売機
２ａ、２ｂ  読取手段
３  制御手段
４  時計手段
５ａ、５ｂ  価格表示手段
６ａ、６ｂ  棚
１０ａ、１０ｂ  商品
１１ａ、１１ｂ  無線ＩＣタグ
２０  ネットワーク
３０  情報サーバ
４０  販売管理端末
【図１】
2006195616.tif 000003